(57)【要約】【課題】  テレビ放送を受信して、親機と分離可能な子機の表示部に表示する。【解決手段】  ファクシミリ装置１は、ユーザが通話を行う子機３と、公衆回線等の回線に接続されて通話信号およびファクシミリ信号の送受信を行うとともに、子機３に対して通話信号の中継を行う親機２とを含むとともに、親機２および子機３の少なくともいずれか一方に、放送信号を受信するテレビ放送受信チューナ２９を備え、子機３に、放送信号に基づき画像を表示する表示部４５を備える。これにより、ファクシミリ装置において、テレビ放送を受信して、親機と分離可能な子機の表示部に表示することができる。【選択図】  図１
2006020250.tif 000002
【特許請求の範囲】
【請求項１】
ユーザが通話を行う子機と、回線に接続されて通話信号およびファクシミリ信号の送受信を行うとともに、子機に対して通話信号の中継を行う親機とを含む通信装置であって、
親機および子機の少なくともいずれか一方に、放送信号を受信する放送受信手段を備え、
子機に、上記放送信号に基づき画像を表示する表示手段を備えることを特徴とする通信装置。
【請求項２】
親機に通話信号またはファクシミリ信号が着信した時、該着信を示す着信情報を上記表示手段に表示する着信報知手段を備えることを特徴とする請求項１に記載の通信装置。
【請求項３】
上記放送信号に基づく画像が上記表示手段で表示されている場合、上記着信報知手段は、上記着信情報を上記表示手段に表示しないことを特徴とする請求項２に記載の通信装置。
【請求項４】
通話信号またはファクシミリ信号とともに受信した当該通話信号またはファクシミリ信号を発信した発信装置を示す発信装置情報に応じて、受信動作を制御する受信制御手段を備えることを特徴とする請求項１から３のいずれか１項に記載の通信装置。
【請求項５】
上記放送信号に基づく画像が上記表示手段で表示されている場合、上記受信制御手段は、親機に通話信号が着信した時、親機を留守番電話モードで動作させることを特徴とする請求項４に記載の通信装置。
【請求項６】
上記放送信号に基づく画像が上記表示手段で表示されている場合、上記受信制御手段は、親機にファクシミリ信号が着信した時、親機にファクシミリ信号を自動受信させることを特徴とする請求項４に記載の通信装置。
【請求項７】
上記放送信号に基づき画像を表示している表示手段の画面をキャプチャしてキャプチャ画像データを生成し、該キャプチャ画像データを子機のキャプチャ画像記憶手段に格納するキャプチャ手段を備えることを特徴とする請求項１に記載の通信装置。
【請求項８】
上記キャプチャ画像記憶手段からキャプチャ画像データを読み出して親機に送信し、親機の印刷手段で印刷するキャプチャ画像印刷手段を備えることを特徴とする請求項７に記載の通信装置。
【請求項９】
上記キャプチャ画像印刷手段は、上記キャプチャ画像記憶手段に所定容量以上にキャプチャ画像データが格納されたとき、古いキャプチャ画像データから順に親機の印刷手段で印刷するとともに、印刷済みのキャプチャ画像データを消去するものであることを特徴とする請求項８に記載の通信装置。
【請求項１０】
ユーザが通話を行う子機と、回線に接続されて通話信号およびファクシミリ信号の送受信を行うとともに、子機に対して通話信号の中継を行う親機とを含む通信装置の制御方法であって、
受信した放送信号に基づく画像を子機の表示部に表示するステップと、
親機に通話信号またはファクシミリ信号が着信した時、該着信を示す着信情報を上記表示部に表示するステップと、を含むことを特徴とする通信装置の制御方法。
【請求項１１】
ユーザが通話を行う子機と、回線に接続されて通話信号の送受信を行うとともに、子機に対して通話信号の中継を行う親機とを含む電話装置であって、
親機および子機の少なくともいずれか一方に、放送信号を受信する放送受信手段を備え、
子機に、上記放送信号に基づき画像を表示する表示手段を備えることを特徴とする電話装置。
【請求項１２】
回線に接続されてファクシミリ信号の送受信を行う親機と、該親機を遠隔操作する子機とを含むファクシミリ装置であって、
親機および子機の少なくともいずれか一方に、放送信号を受信する放送受信手段を備え、
子機に、上記放送信号に基づき画像を表示する表示手段を備えることを特徴とするファクシミリ装置。
【請求項１３】
請求項２から９のいずれか１項に記載の通信装置を動作させる制御プログラムであって、親機の着信報知手段、受信制御手段、キャプチャ画像印刷手段、子機の着信報知手段、キャプチャ手段、キャプチャ画像印刷手段の少なくともいずれか１つとして、コンピュータを機能させるための制御プログラム。
【請求項１４】
請求項１３に記載の制御プログラムを記録したコンピュータ読み取り可能な記録媒体。
【発明の詳細な説明】
【技術分野】
【０００１】
本発明は、親機と子機とを備えた通信装置、電話装置、ファクシミリ装置、通信装置の制御方法、制御プログラムおよびそれを記録したコンピュータ読み取り可能な記録媒体に関するものである。
【背景技術】
【０００２】
従来、公衆回線を使用して通話やファクシミリ送受信の通信を行うファクシミリ装置（以下、ＦＡＸと記すことがある。）が広く利用されている。また、親機と子機とを備えたコードレスファクシミリ装置も一般的になっている。また、近時、追加機能として、ＦＡＸ放送を受信できるものや、さらには、テレビ、ビデオ等の機能を取り込んだファクシミリ装置もある。
【０００３】
例えば、特許文献１には、ファクシミリ信号を復調し、記録することができるファクシミリ信号受信機のチューナ部とテレビジョン受信機のチューナとを切換スイッチで択一的に自動的に切り換えるようにし、補完番組の受信を自動的に行えるようにしたファクシミリ信号受信装置が記載されている。
【０００４】
また、特許文献２には、テレビ電話としての機能の他、テレビ放送の受像、外部テレビカメラ再生、ファクシミリ、映像信号および音声信号の記録等の機能を一体化して備えた多機能型テレビ電話装置が記載されている。
【０００５】
また、特許文献３には、衛星やＣＡＴＶによるデジタル放送を受信するチューナ部、デコーダ部、通信制御部（ＮＣＵ）などを有するデジタル放送受信装置に、ファクシミリデータの復号化またはファクシミリデータへの符号化などを行うＦＡＸ送受信（ＦＡＸコーデック）と、受信したファクシミリ画像を表示器に表示するための表示処理部などを備え、課金情報などの通信のための電話回線を用いてファクシミリ機能を実現することが記載されている。
【０００６】
また、特許文献４には、公衆電話回線を通して受信したマルチメディアデータをいったんデータ記憶手段に蓄積し、その後データ記憶手段からマルチメディアデータを読み出し、マルチメディアデータから静止画像データを抽出し、静止画像データを二値化および圧縮してファクシミリデータを生成し、ファクシミリデータをファクシミリ装置へ送出するデータ受信装置が記載されている。
【特許文献１】特開平４−３１３９４６号公報（公開日：平成４（１９９２）年１１月５日）
【特許文献２】特開平２−３９６９３号公報（公開日：平成２（１９９０）年２月８日）
【特許文献３】特開平１０−２９４９０６号公報（公開日：平成１０（１９９８）年１１月４日）
【特許文献４】特開平１０−３０４１２６号公報（公開日：平成１０（１９９８）年１１月１３日）
【発明の開示】
【発明が解決しようとする課題】
【０００７】
しかしながら、上記のように、従来のファクシミリ装置は、通話およびファクシミリ送受信の基本機能に加えて、ＦＡＸ放送やテレビ放送を受信できるものもあるが、テレビ放送を閲覧するためには、親機本体に設けられた表示部に表示するか、もしくは、外部の他の表示装置に接続して表示しなければならなかった。
【０００８】
本発明は、上記の問題点に鑑みてなされたものであり、その目的は、テレビ放送を受信して、親機と分離可能な子機の表示部に表示できる通信装置、電話装置、ファクシミリ装置、通信装置の制御方法、制御プログラムおよびそれを記録したコンピュータ読み取り可能な記録媒体を実現することにある。
【課題を解決するための手段】
【０００９】
上記課題を解決するために、本発明に係る通信装置は、ユーザが通話を行う子機と、回線に接続されて通話信号およびファクシミリ信号の送受信を行うとともに、子機に対して通話信号の中継を行う親機とを含む通信装置であって、親機および子機の少なくともいずれか一方に、放送信号を受信する放送受信手段を備え、子機に、上記放送信号に基づき画像を表示する表示手段を備えることを特徴としている。
【００１０】
上記の構成により、子機は、通話信号およびファクシミリ信号の送受信を行う親機から分離されている。よって、ユーザは通話やファクシミリの受信操作を、子機を用いることで、親機から離れた場所で気軽に行うことができる。しかも、上記通信装置では、そのような子機に、受信した放送の画像を表示する表示手段が設けられている。したがって、ユーザは、１台の子機を用いることで、通話やファクシミリの受信操作とともに、テレビ等の放送を視聴することが可能となる。
【００１１】
さらに、本発明に係る通信装置は、親機に通話信号またはファクシミリ信号が着信した時、該着信を示す着信情報を上記表示手段に表示する着信報知手段を備えることを特徴としている。
【００１２】
また、本発明に係る通信装置の制御方法は、ユーザが通話を行う子機と、回線に接続されて通話信号およびファクシミリ信号の送受信を行うとともに、子機に対して通話信号の中継を行う親機とを含む通信装置の制御方法であって、受信した放送信号に基づき画像を子機の表示部に表示するステップと、親機に通話信号またはファクシミリ信号が着信した時、該着信を示す着信情報を上記表示部に表示するステップと、を含むことを特徴としている。
【００１３】
上記の構成により、さらに、親機に通話信号またはファクシミリ信号が着信した時、該着信を示す着信情報を子機の表示手段（表示部）に表示することができる。よって、ユーザが子機の表示手段（表示部）で、テレビ放送等を見ているときでも、通話信号またはファクシミリ信号が着信したことをユーザに確実に報知することができる。
【００１４】
さらに、本発明に係る通信装置は、上記放送信号に基づく画像が上記表示手段で表示されている場合、上記着信報知手段は、上記着信情報を上記表示手段に表示しないことを特徴としている。
【００１５】
上記の構成により、さらに、親機に通話信号またはファクシミリ信号が着信した時、子機の表示手段（表示部）でテレビ放送等の画像が表示されている場合には、着信情報を表示手段（表示部）に表示しないことができる。よって、例えばユーザが着信情報が表示手段（表示部）に表示されることを希望しない場合には、着信情報で煩わせることなくテレビ放送等の画像を表示することができる。
【００１６】
さらに、本発明に係る通信装置は、通話信号またはファクシミリ信号とともに受信した当該通話信号またはファクシミリ信号を発信した発信装置を示す発信装置情報に応じて、受信動作を制御する受信制御手段を備えることを特徴としている。
【００１７】
上記の構成により、さらに、発信装置情報が一緒に送信されてくる通話信号またはファクシミリ信号であれば、発信装置情報に応じて受信動作を制御することができる。具体的には、発信者が使用した装置を特定し、その結果に応じて、報知の方法（表示、音等の別）、報知の内容（メッセージ）、応答の方法（ユーザによる選択、自動受信、拒否等の別）などを選択することができる。なお、発信装置情報と受信動作との対応をデータベース（発信装置情報ＤＢ）にあらかじめ登録しておくことで、細かな制御が可能となる。また、発信者を特定する情報が利用できる場合には、発信者に応じて受信動作を制御することが可能である。
【００１８】
さらに、本発明に係る通信装置は、上記放送信号に基づく画像が上記表示手段で表示されている場合、上記受信制御手段は、親機に通話信号が着信した時、親機を留守番電話モードで動作させることを特徴としている。
【００１９】
上記の構成により、さらに、着信情報が表示手段（表示部）に表示されないため、着信情報で煩わせることなくテレビ放送等の画像を表示することができる。
【００２０】
さらに、本発明に係る通信装置は、上記放送信号に基づく画像が上記表示手段で表示されている場合、上記受信制御手段は、親機にファクシミリ信号が着信した時、親機にファクシミリ信号を自動受信させることを特徴としている。
【００２１】
上記の構成により、さらに、着信情報が表示手段（表示部）に表示されないため、着信情報で煩わせることなくテレビ放送等の画像を表示することができる。
【００２２】
さらに、本発明に係る通信装置は、上記放送信号に基づき画像を表示している表示手段の画面をキャプチャしてキャプチャ画像データを生成し、該キャプチャ画像データを子機のキャプチャ画像記憶手段に格納するキャプチャ手段を備えることを特徴としている。
【００２３】
上記の構成により、さらに、テレビ等の放送の受信画面の画像情報を子機のメモリに保存できる。よって、キャプチャ画像データを放送終了後等に表示することができるため、ユーザはメモをとる必要がなくなる。
【００２４】
さらに、本発明に係る通信装置は、上記キャプチャ画像記憶手段からキャプチャ画像データを読み出して親機に送信し、親機の印刷手段で印刷するキャプチャ画像印刷手段を備えることを特徴としている。
【００２５】
上記の構成により、さらに、キャプチャした放送受信画面を印刷することが可能となる。また、キャプチャ画像データを、子機から親機へ通信によって移動させるため、印刷のために、ユーザが親機の設置場所へ行く必要がない。
【００２６】
さらに、本発明に係る通信装置は、上記キャプチャ画像印刷手段は、上記キャプチャ画像記憶手段に所定容量以上にキャプチャ画像データが格納されたとき、古いキャプチャ画像データから順に親機の印刷手段で印刷するとともに、印刷済みのキャプチャ画像データを消去するものであることを特徴としている。
【００２７】
上記の構成により、さらに、子機のキャプチャ画像記憶手段が一杯になった場合でも、キャプチャ画面データを親機へ自動的に転送できるため、子機のキャプチャ画像記憶手段の空き容量を確保することができる。
【００２８】
また、本発明に係る通信装置は、ユーザが通話を行う子機と、回線に接続されて通話信号の送受信を行うとともに、子機に対して通話信号の中継を行う親機とを含む電話装置であって、親機および子機の少なくともいずれか一方に、放送信号を受信する放送受信手段を備え、子機に、上記放送信号に基づき画像を表示する表示手段を備えることを特徴としている。
【００２９】
上記の構成により、子機は、通話信号の送受信を行う親機から分離されている。よって、ユーザは通話を、子機を用いることで、親機から離れた場所で気軽に行うことができる。しかも、上記電話装置では、そのような子機に、受信した放送の画像を表示する表示手段が設けられている。したがって、ユーザは、１台の子機を用いることで、通話とともに、テレビ等の放送を視聴することが可能となる。
【００３０】
また、本発明に係るファクシミリ装置は、回線に接続されてファクシミリ信号の送受信を行う親機と、該親機を遠隔操作する子機とを含むファクシミリ装置であって、親機および子機の少なくともいずれか一方に、放送信号を受信する放送受信手段を備え、子機に、上記放送信号に基づき画像を表示する表示手段を備えることを特徴としている。
【００３１】
上記の構成により、子機は、ファクシミリ信号の送受信を行う親機から分離されている。よって、ユーザはファクシミリの受信操作を、子機を用いることで、親機から離れた場所で気軽に行うことができる。しかも、上記ファクシミリ装置では、そのような子機に、受信した放送の画像を表示する表示手段が設けられている。したがって、ユーザは、１台の子機を用いることで、ファクシミリの受信操作とともに、テレビ等の放送を視聴することが可能となる。
【００３２】
なお、上記基地局、端末局、通信装置は、コンピュータによって実現してもよく、この場合には、コンピュータを上記各手段として動作させることにより上記の各装置をコンピュータにて実現させる上記の各装置の制御プログラム（通信管理プログラム）、及びそれを記録したコンピュータ読み取り可能な記録媒体も、本発明の範疇に入る。
【発明の効果】
【００３３】
以上のように、本発明に係る通信装置は、親機および子機の少なくともいずれか一方に、放送信号を受信する放送受信手段を備え、子機に、上記放送信号に基づき画像を表示する表示手段を備える構成である。それゆえ、ユーザは、１台の子機を用いることで、通話やファクシミリの受信操作とともに、テレビ等の放送を視聴することが可能となるという効果を奏する。
【発明を実施するための最良の形態】
【００３４】
本発明の一実施の形態について図１から図１７に基づいて説明すれば、以下のとおりである。
【００３５】
図２は、本実施の形態に係るファクシミリ装置１の外観を示す斜視図である。なお、図２は、子機３を親機２に取付けた状態を示す。また、図３は、ファクシミリ装置１の親機２の外観を示す斜視図である。図４は、ファクシミリ装置１の子機３の外観を示す斜視図である。
【００３６】
図２に示すように、ファクシミリ装置１は、親機２と子機３よりなる、いわゆるコードレスファクシミリである。すなわち、親機２は、公衆回線等の回線に接続されて通話信号およびファクシミリ信号の送受信を行うとともに、子機３に対して通話信号の中継を行う。
【００３７】
ファクシミリ装置１では、親機２において、通話、ファクシミリの送受信の操作および印刷を行うことができる。また、親機２より着脱可能な子機３を介して通話やファクシミリ送受信の操作を行うことができる。
【００３８】
また、ファクシミリ装置１は、デジタル放送を含むテレビ放送を受信可能であり、親機２において受信したテレビ放送を、親機２から取り外した子機３の表示部４５で表示可能である。さらに、ファクシミリ装置１は、デジタル放送の受信画面をキャプチャする機能を有する。また、ファクシミリ装置１は、キャプチャしたデジタル放送の受信画面を印刷する機能を有する。また、ファクシミリ装置１は、受信したテレビ放送の内容に対して、情報・データを送信する場合、親機２に接続している公衆回線（電話回線等）を使用して送信することができる。
【００３９】
なお、本実施の形態では、通話信号およびファクシミリ信号の送受信を行ういわゆる複合機について説明するが、通話信号の送受信を行ういわゆるコードレス電話にも適用可能である。また、受信する放送を映像および音声を含むテレビ放送として説明するが、映像のみからなる放送、音声のみからなる放送にも適用可能である。
【００４０】
図１は、ファクシミリ装置１の親機２および子機３の電気的構成を示すブロック図である。
【００４１】
まず、図１および図３を用いて、親機２の構成を詳細に説明する。
【００４２】
図３に示すように、親機２は、親機操作キー１１、親機マイク１２、親機受話器１３、親機スピーカ１４、親機アンテナ１５、プリンタ１６、公衆回線接続部１７、テレビ放送受信アンテナ接続部１８、子機載置部１９を備えて構成されている。
【００４３】
さらに、図１に示すように、親機２は、親機中央処理装置（Central Processing Unit：ＣＰＵ）２１、親機操作キー入力制御部２２、親機音声入力制御部２３、親機音声出力制御部２４、親機データ送受信制御部２５、親機メモリ２６、プリンタ制御部２７、通信制御部２８、テレビ放送受信チューナ２９を含んで構成される。
【００４４】
親機操作キー１１は、ユーザによって操作され、例えば、通信相手の装置の電話番号、およびテレビ放送の受信チャンネルの変更等が入力される。親機操作キー１１は、入力された指令を親機操作キー入力制御部２２に与える。親機操作キー入力制御部２２は、与えられた指令を指令情報として親機ＣＰＵ２１に与える。
【００４５】
親機マイク１２および親機受話器１３のマイク（図示せず）は、音声情報が与えられ、与えられた音声情報を親機音声入力制御部２３に与える。親機音声入力制御部２３は、与えられた音声情報を親機ＣＰＵ２１に与える。
【００４６】
親機音声出力制御部２４は、親機ＣＰＵ２１から与えられた音声情報を親機スピーカ１４および親機受話器１３のスピーカ（図示せず）に与える。親機スピーカ１４および親機受話器１３のスピーカは、親機音声出力制御部２４から与えられた音声情報を外部に出力する。また、親機スピーカ１４および親機受話器１３のスピーカは、親機報知手段であって、親機ＣＰＵ２１から与えられる親機情報、およびテレビ放送の音声を音声情報として外部に出力する。
【００４７】
親機メモリ（親機記憶手段）２６は、例えばフラッシュメモリなどの記憶装置からなり、親機ＣＰＵ２１の制御に用いられるプログラムなどを記憶する。また、親機メモリ２６は、親機ＣＰＵ２１から与えられる情報、例えばキャプチャしたデジタル放送の画像情報、着信履歴、発信履歴および伝言メッセージを記憶する。
【００４８】
親機データ送受信制御部（親機通信手段）２５は、子機３との通信を制御し、子機３と通信するための通信路の探索、接続の確立および情報の送受信を行うためのチューナなどを含む。また、親機データ送受信制御部２５は、親機ＣＰＵ２１から与えられる情報、例えばテレビ放送データおよび音声情報を親機アンテナ１５に与える。テレビ放送データは、テレビ放送受信チューナ２９によって受信したテレビ放送のデータである。また、親機データ送受信制御部２５は、親機アンテナ１５から与えられる情報、例えば指令情報や、テレビ放送受信画面をキャプチャした画像情報および音声情報を親機ＣＰＵ２１に与える。指令情報は、親機２の動作を指令する情報である。
【００４９】
親機アンテナ１５は、子機３と通信するために、子機アンテナ４４と情報を送受信する。親機アンテナ１５は、受信した情報を親機データ送受信制御部２５に与える。また、親機アンテナ１５は、親機データ送受信制御部２５から与えられる情報を、子機アンテナ４４に向けて送信する。
【００５０】
プリンタ制御部２７は、親機ＣＰＵ２１から与えられた印刷内容情報をプリンタ１６に与える。プリンタ１６は、プリンタ制御部２７から与えられた印刷内容情報、例えば、受信したＦＡＸや、テレビ放送をキャプチャした画像情報を印刷する。プリンタ１６は、例えばカラー印刷可能なインクジェット印刷装置によって実現される。
【００５１】
通信制御部２８は、公衆回線接続部１７を介して、公衆回線（例えば、電話回線）の状況を監視するとともに、公衆回線から与えられる情報を親機ＣＰＵ２１に与える。また、通信制御部２８は、親機ＣＰＵ２１から与えられる送信情報を公衆回線を介して他の通信装置に与える。
【００５２】
テレビ放送受信チューナ（放送受信手段）２９は、テレビ放送の放送信号を受信する。なお、テレビ放送受信チューナ２９は、親機２および子機３の少なくともいずれか一方に設けられていればよい。ただし、子機３に比べて大きさや重さに制限の少ない親機２にテレビ放送受信チューナ２９を設けることにより、子機３を小型化・軽量化できる。
【００５３】
親機ＣＰＵ（親機制御手段）２１は、親機メモリ２６に記憶されるプログラムとあいまって、与えられる指令情報などに基づいて、親機２全体の動作を決定する。動作が決定すると、親機ＣＰＵ２１は、各部に対し指令情報を与える。親機ＣＰＵ２１は、親機データ送受信制御部２５から与えられる指令情報に基づいて、親機２を統括的に制御する。また親機ＣＰＵ２１は、親機情報を子機３に送信するように、親機データ送受信制御部２５を制御する。親機ＣＰＵ２１は、例えばマイクロコンピュータなどの処理回路によって実現される。
【００５４】
次に、図１および図４を用いて、子機３の構成を詳細に説明する。
【００５５】
図４に示すように、子機３は、子機操作キー４１、子機マイク４２、子機スピーカ４３、子機アンテナ４４、表示部４５を備えて構成されている。なお、子機３は、さらにカメラを設けることで、テレビ電話の端末として構成することもできる。
【００５６】
さらに、図１に示すように、子機３は、子機中央処理装置（Central Processing Unit：ＣＰＵ）５１、子機操作キー入力制御部５２、子機音声入力制御部５３、子機音声出力制御部５４、子機データ送受信制御部５５、子機メモリ５６、テレビ放送信号デコーダ５７、表示制御部５８を含んで構成される。
【００５７】
子機操作キー４１は、ユーザによって操作され、例えば、通信相手の装置の電話番号、およびテレビ放送の受信チャンネルの変更等が入力される。子機操作キー４１は、入力された指令を子機操作キー入力制御部５２に与える。子機操作キー入力制御部５２は、与えられた指令を指令情報として子機ＣＰＵ５１に与える。
【００５８】
以下、子機操作キー４１の構成の一例を示す。なお、子機操作キー４１の構成はこの例に限定されるものではない。
【００５９】
子機操作キー４１は、複数のキーを備えている。そして、各キーには、子機３にて各種の操作を行うためのメニュー画面を呼出すための「メニューキー」、メニュー画面にてメニューを選択するための「カーソルキー」、選択したメニューを実行するための「決定キー」、選択したメニューをキャンセルするための「キャンセルキー」、受信したテレビ画面をキャプチャするための「キャプチャキー」、キャプチャした画像を印刷するための「プリントキー」、子機３にて電話の発呼、着呼を行うための「通話・終話キー」がそれぞれ割り当てられている。
【００６０】
子機マイク４２は、音声情報が与えられ、与えられた音声情報を子機音声入力制御部５３に与える。子機音声入力制御部５３は、与えられた音声情報を子機ＣＰＵ５１に与える。
【００６１】
子機音声出力制御部５４は、子機ＣＰＵ５１から与えられた音声情報を子機スピーカ４３に与える。子機スピーカ４３は、子機音声出力制御部５４から与えられた音声情報を外部に出力する。また、子機スピーカ４３は、子機報知手段であって、子機ＣＰＵ５１から与えられる子機情報、およびテレビ放送の音声を音声情報として外部に出力する。
【００６２】
子機データ送受信制御部（子機通信手段）５５は、親機２との通信を制御する。子機データ送受信制御部５５は、子機ＣＰＵ５１から与えられる指令情報を子機アンテナ４４に与える。また、子機データ送受信制御部５５は、子機アンテナ４４から与えられる親機情報を子機ＣＰＵ５１に与える。これにより、子機３は、親機２との間で、制御信号、通話信号、テレビ放送信号、キャプチャ画像データなどの送受信が可能である。
【００６３】
表示制御部５８は、子機ＣＰＵ５１から与えられる情報を画像情報に変換し、画像情報を表示部４５に与える。表示部４５は、表示制御部５８から与えられる画像情報を表示する。表示される画像情報は、例えばテレビ放送を受信した画像情報、および親機情報に基づく画像情報である。表示部４５は、例えばカラー表示可能な液晶表示装置によって実現される。また、表示部４５は、表面にタッチパネルが設けられており、重畳部位の表示とともにソフトキーが実現される。なお、このソフトキーの入力は、子機操作キー４１と同様に、子機操作キー入力制御部５２によって制御される。
【００６４】
テレビ放送信号デコーダ５７は、受信したテレビ放送のデータをデコードする。ここで、テレビ放送のデータは、親機２のテレビ放送受信チューナ２９にて受信され、親機２の親機データ送受信制御部２５を介して親機アンテナ１５から子機アンテナ４４へ送信される。親機アンテナ１５から送信されたテレビ放送のデータは、子機アンテナ４４にて受信され、子機データ送受信制御部５５を介して、テレビ放送信号デコーダ５７に渡される。そして、テレビ放送信号デコーダ５７にて、テレビ放送信号のデータをデコードした後、表示制御部５８により表示部４５へテレビ放送を表示するとともに、子機音声出力制御部５４部により子機スピーカ４３からテレビ放送の音声を出力する。
【００６５】
子機ＣＰＵ（子機制御手段）５１は、子機メモリ５６に記憶されるプログラムとあいまって、与えられる指令情報などに基づいて、子機３全体の動作を決定する。動作が決定すると、子機ＣＰＵ５１は、各部に対し指令情報を与える。子機ＣＰＵ５１は、子機データ送受信制御部５５から与えられる指令情報に基づいて、子機３を統括的に制御する。また子機ＣＰＵ５１は、子機情報を親機２に送信するように、子機データ送受信制御部５５を制御する。子機ＣＰＵ５１は、例えばマイクロコンピュータなどの処理回路によって実現される。
【００６６】
なお、図２に示すように、子機３は、親機２の子機載置部１９に載置することにより、親機２と一体となる。この状態において、子機３の表示部４５は、ファクシミリ装置１全体あるいは親機２の表示装置として機能する。そして、子機３を子機載置部１９に着脱することで、表示部４５に表示する内容が切り替わるようにしてもよい。すなわち、子機３が子機載置部１９から取り外された状態では、表示部４５は子機３の表示装置として機能し、子機３が子機載置部１９に装着された状態では、表示部４５はファクシミリ装置１全体の表示装置として機能するようになっていてもよい。
【００６７】
つづいて、親機ＣＰＵ２１および子機ＣＰＵ５１によって実現される機能について説明する。
【００６８】
（１）着信報知機能
親機ＣＰＵ２１および子機ＣＰＵ５１は、着信報知手段として、親機２に通話信号またはファクシミリ信号が着信した時、該着信を示す着信情報を子機３の表示部（表示手段）４５に表示する。なお、放送信号に基づく画像が表示部（表示手段）４５で表示されている場合に、着信情報を表示部（表示手段）４５に表示するか否かはユーザの好みに応じて選択可能である。
【００６９】
（２）受信制御機能
親機ＣＰＵ２１は、受信制御手段として、通話信号またはファクシミリ信号とともに受信した当該通話信号またはファクシミリ信号を発信した発信装置を示す発信装置情報（電話番号）に応じて、受信動作を制御する。そのため、発信装置情報と受信動作との対応が予め登録された発信装置情報ＤＢ（電話帳情報）が、子機メモリ５６あるいは親機メモリ２６に格納されている。なお、発信装置情報に応じた処理は、子機３においても行ってもよい。また、親機２と子機３とは、それぞれ独自の内容の発信装置情報ＤＢを保持していてもよい。
【００７０】
また、親機ＣＰＵ（受信制御手段）２１は、放送信号に基づく画像が表示部（表示手段）４５で表示されている場合、親機２に通話信号が着信した時、親機２を留守番電話モードで動作させる。すなわち、留守番電話モードでの所定のメッセージを再生して、送信者のメッセージを録音する。
【００７１】
また、親機ＣＰＵ（受信制御手段）２１は、放送信号に基づく画像が表示部（表示手段）４５で表示されている場合、親機にファクシミリ信号が着信した時、親機にファクシミリ信号を自動受信させる。すなわち、ファクシミリ信号を受信して、プリンタ１６で印刷、あるいは、親機メモリ２６に格納する。
【００７２】
（３）キャプチャ機能
子機ＣＰＵ５１は、キャプチャ手段として、放送信号に基づき画像を表示している表示部（表示手段）４５の画面をキャプチャしてキャプチャ画像データを生成し、該キャプチャ画像データを子機３の子機メモリ（キャプチャ画像記憶手段）５６に格納する。
【００７３】
（４）キャプチャ画像印刷機能
親機ＣＰＵ２１および子機ＣＰＵ５１は、キャプチャ画像印刷手段として、子機メモリ（キャプチャ画像記憶手段）５６からキャプチャ画像データを読み出して親機２に送信し、親機２のプリンタ（印刷手段）１６で印刷する。また、子機メモリ（キャプチャ画像記憶手段）５６に所定容量以上にキャプチャ画像データが格納されたとき、古いキャプチャ画像データから順に親機２のプリンタ（印刷手段）１６で印刷するとともに、印刷済みのキャプチャ画像データを消去する。
【００７４】
つぎに、図５に示すフローチャートを参照しながら、テレビ放送を受信中に電話の着呼が入った場合の処理について説明する。
【００７５】
テレビ放送の受信時、すなわち、表示部４５にてテレビ受信画面を表示するとともに、子機スピーカ４３からテレビ受信音声の出力を行っている（Ｓ１１）時、親機ＣＰＵ２１が電話の着呼の有無の判定（Ｓ１２）を行う。なお、子機３の状態は、子機ＣＰＵ５１により、所定のタイミングで親機ＣＰＵ２１へ通知される。
【００７６】
電話の着呼が無い場合（Ｓ１２で“無し”）、テレビ放送の受信（Ｓ１１）を継続する。一方、電話の着呼が有る場合（Ｓ１２で“有り”）、子機ＣＰＵ５１が表示部４５へ電話の着呼が有ることを表示する（Ｓ１３）。なお、表示の具体例については後述する。
【００７７】
次に、子機ＣＰＵ５１が、ユーザによって通話・終話のキー操作がなされたか否かを判定（Ｓ１４）。すなわち、電話の着呼回線接続判定を行う。
【００７８】
ユーザが電話の着呼を拒否する操作をした場合、例えば、「通話・終話キー」（子機操作キー４１）を長押し操作した場合（Ｓ１４で“長押し操作”）、子機ＣＰＵ５１が、電話の着呼回線を切断し、表示部４５への電話の着呼が有ることの表示を停止（Ｓ１９）した後、テレビ受信画面の表示（Ｓ１１）を継続する。
【００７９】
一方、ユーザが電話の着呼に応答する操作をした場合、例えば、「通話・終話キー」（子機操作キー４１）を通常操作した場合（Ｓ１４で“通常操作”）、子機ＣＰＵ５１が、子機音声出力制御部５４に対して子機スピーカ４３からのテレビ受信音声出力を小さくあるいは停止（ミュート）させ（Ｓ１５）、通話を開始する（Ｓ１６）。
【００８０】
通話中は、子機ＣＰＵ５１が通話終了判定を行う（Ｓ１７）。そして、通話が終了しない場合（Ｓ１７で“通話継続”）、通話を継続し、通話終了判定（Ｓ１７）を繰り返す。一方、通話が終了した場合（Ｓ１７で“通話終了”）は、子機ＣＰＵ５１が、子機音声出力制御部５４に対して子機スピーカ４３からのテレビ受信音声出力を大きくあるいは開始（ミュート解除）させ（Ｓ１８）、テレビ放送の受信（Ｓ１１）に戻る。
【００８１】
つぎに、図６に示すフローチャートを参照しながら、テレビ放送を受信中に電話またはファクシミリの着呼が入った場合のモード切替処理について説明する。なお、図７および図８は、モード切替画面の一例を示す説明図である。
【００８２】
テレビ放送の受信時、すなわち、表示部４５にてテレビ受信画面を表示するとともに、子機スピーカ４３からテレビ受信音声の出力を行なっている（Ｓ２１）時、親機ＣＰＵ２１が電話またはファクシミリの着呼の有無の判定（Ｓ２２）を行う。
【００８３】
電話またはファクシミリの着呼が無い場合（Ｓ２２で“無し”）、テレビ放送の受信（Ｓ２１）を継続する。一方、電話またはファクシミリの着呼が有る場合（Ｓ２２で“有り”）、子機ＣＰＵ５１が表示部４５へ電話またはファクシミリの着呼が有ることを表示する（Ｓ２６）。そして、ユーザによるキー操作を検出して、モード切替を行う（Ｓ２７）。
【００８４】
ステップＳ２７では、例えば、図７に示すように、テレビ画面を縮小して、表示部４５の下部に「着信あり」の表示とともに「応答」「留守」「拒否」「ＦＡＸ」の各モードを選択するためのソフトキーを表示する。そして、ユーザが各ソフトキーの表示領域に触れると、表示部４５のタッチパネルが検出して、子機操作キー入力制御部５２がモード選択指示入力として取得する。なお、ユーザの操作はソフトキーの近傍に配設されたキー４７によって検出しても良い。また、図８に示すように、テレビ画面を縮小して、表示部４５の右辺部に「着信あり」の表示とともに「応答」「留守」「拒否」「ＦＡＸ」の各モードを選択するためのソフトキーを表示してもよい。
【００８５】
そして、ステップＳ２７でモードをファクシミリ（ＦＡＸ）受信モードに切り替えた場合、テレビ画面を全画面表示に戻して、表示部４５から「着信あり」の表示およびソフトキーの表示を消す（Ｓ３１）。その後、親機ＣＰＵ２１が、回線を接続し（Ｓ３２）、ファクシミリを受信し（Ｓ３３）、回線を切断する（Ｓ３４）。
【００８６】
また、ステップＳ２７でモードを着呼拒否モードに切り替えた場合、テレビ画面を全画面表示に戻して、表示部４５から「着信あり」の表示およびソフトキーの表示を消す（Ｓ４１）。その後、親機ＣＰＵ２１が、回線を切断する（Ｓ４２）。
【００８７】
また、ステップＳ２７でモードを留守番電話モードに切り替えた場合、テレビ画面を全画面表示に戻して、表示部４５から「着信あり」の表示およびソフトキーの表示を消す（Ｓ５１）。その後、親機ＣＰＵ２１が、回線を接続し（Ｓ５２）、留守番電話の動作（電話であればメッセージの録音、ファクシミリであれば自動ＦＡＸ受信）を行い（Ｓ５３）、回線を切断する（Ｓ５４）。
【００８８】
また、ステップＳ２７でモードを着呼応答モードに切り替えた場合、テレビ画面を全画面表示に戻して、表示部４５から「着信あり」の表示およびソフトキーの表示を消す（Ｓ６１）とともに、子機スピーカ４３からのテレビ受信音声出力を小さくあるいは停止（ミュート）させる（Ｓ６２）。その後、子機ＣＰＵ５１が、回線を接続する（Ｓ６３）。
【００８９】
このとき、着呼が電話であれば（Ｓ６４で“電話”）、ユーザがそのまま通話を行う（Ｓ６５）。そして、通話中は、子機ＣＰＵ５１が通話終了判定を行い（Ｓ６６）、通話が終了しない場合（Ｓ６６でＮＯ）、通話を継続し、通話終了判定（Ｓ６６）を繰り返す。そして、通話が終了した時（Ｓ６６でＹＥＳ）、回線を切断する（Ｓ６７）。
【００９０】
一方、着呼がファクシミリであれば（Ｓ６４で“ＦＡＸ”）、ユーザが「受信開始」キーを操作する（Ｓ６９）。子機ＣＰＵ５１がこのキー操作を検出すると、親機ＣＰＵ２１がＦＡＸ受信を開始する。
【００９１】
その後、子機３では、子機ＣＰＵ５１が、子機スピーカ４３からのテレビ受信音声出力を大きくあるいは開始（ミュート解除）させ（Ｓ６８）、テレビ放送の受信（Ｓ２１）に戻る。
【００９２】
つづいて、図９に示すフローチャートを参照しながら、テレビ放送を受信中に電話またはファクシミリの着呼が入った場合のモード切替処理について説明する。図９は処理は、テレビ受信中に着呼があった場合に、あらかじめ設定された電話番号からの着呼であるか否かの判定を行い、ファクシミリ専用の電話番号からの着呼であれば、自動ＦＡＸ受信する点が、図８の処理と異なる。よって、以下では、図８と相違する点のみを説明する。
【００９３】
テレビ放送の受信時に、電話またはファクシミリの着呼が有った場合（Ｓ２２で“有り”）、通信制御部２８が発信者電話番号を受信し（Ｓ２３）、それを親機ＣＰＵ２１は取得する。親機ＣＰＵ２１は、発信者電話番号が発信装置情報ＤＢ（電話帳情報）に登録されており（Ｓ２４でＹＥＳ）、かつ、ファクシミリ専用の電話番号である（Ｓ２５でＹＥＳ）場合、自動ファクシミリ受信モードに切り替える。一方、その他の場合（Ｓ２４でＮＯ、Ｓ２５でＮＯ）、子機ＣＰＵ５１が表示部４５へ電話またはファクシミリの着呼が有ることを表示する（Ｓ２６）。なお、発信装置情報ＤＢは、着呼の予定があるファクシミリ専用の電話番号が少なくとも登録されて、親機メモリ２６にあらかじめ格納されている。
【００９４】
そして、ステップＳ２５でモードをファクシミリ（ＦＡＸ）自動受信モードに切り替えた場合、親機ＣＰＵ２１は、回線を接続し（Ｓ８１）、ファクシミリを受信し（Ｓ８２）、回線を切断する（Ｓ８３）。
【００９５】
ここで、子機３において、電話またはファクシミリの着呼が有ることをユーザに報知する方法の具体例について説明する。着呼をユーザに報知する方法としては、上述したように表示部４５にテレビ方法と一緒に表示するほか、他の表示装置で表示してもよいし、音声や振動等による報知を行ってもよい。
【００９６】
図１０から図１２は、テレビ放送受信中に着呼が入った時、表示部４５に表示する表示画面例である。
【００９７】
図１０に示すように、「着信あり」の情報を、テレビ放送中の臨時ニュースの報知等のように、表示部４５の上部にテロップを表示してもよい。この表示によれば、テレビ画面を遮ることなく大きく表示できる。
【００９８】
また、図１１に示すように、「着信あり」の情報を、映画の字幕のように表示部４５の下部に表示してもよい。この表示によれば、テレビ画面を遮ることなく大きく表示できる。
【００９９】
また、図１２に示すように、「着信あり」の情報を、表示部４５のテレビ受信画面内に配置した子画面内に表示してもよい。この表示によれば、テレビ受信中に着呼があった場合に、確実に着呼があったことを報知することができる。
【０１００】
その他、表示部４５に、テレビ受信画面と着呼表示画面とを別々の独立した画面として表示してもよい。この表示によれば、テレビ受信中に着呼があった場合においても、テレビ受信画面を着呼表示画面で隠すことなく表示できる。
【０１０１】
なお、これらの表示方法は、ユーザが自分の使い易い方法を選択することができる。また、ユーザがナンバーディスプレイ等の発信者番号通知サービスに加入している場合は、発信者の番号や発信者名を表示させてもよい。これにより、ユーザは、発信者が誰であるかを認識し、着呼に応答したり、無視したりできる。よって、テレビを見ているときでも、特定の発信者からの電話に出ることが可能となる。
【０１０２】
図１３は、テレビ放送受信中に着呼が入った時、子機スピーカ４３から音声によって報知する例である。
【０１０３】
図１３に示すように、テレビ放送受信中に着呼が有る場合に、子機スピーカ４３から電話の着呼音等の音を出力してもよい。
【０１０４】
その際、子機スピーカ４３からテレビ音声と着呼通知音の両方を出力してもよい。これにより、着呼があることを報知することができる。
【０１０５】
また、テレビの音声のボリュームを下げるか、ミュートして着呼通知音を出力してもよい。これにより、テレビの音量が大きいときに着呼があった場合でも、着呼があるとテレビ音声のボリュームを下げる、またはミュートを行った上で、着呼の音声を出力するため、着呼があることを確実に報知することができる。
【０１０６】
なお、音声出力による着呼報知の場合、出力する音声をユーザの好みに応じて変更することができる。また、ユーザがナンバーディスプレイ等の発信者番号通知サービスに加入している場合は、発信者ごとに、出力する音声の種類を変えてもよい。これにより、ユーザは、発信者が誰であるかを認識し、着呼に応答したり、無視したりできる。よって、テレビを見ているときでも、特定の発信者からの電話に出ることが可能となる。
【０１０７】
図１４は、テレビ放送受信中に着呼が入った時、報知ランプ４６を点灯させることによって報知する例である。
【０１０８】
図１４に示すように、子機３に報知ランプ４６を設けて、点灯や点滅によって着呼報知を行ってもよい。ここで、報知ランプ４６の点灯、点滅パターン、点灯色は、ユーザの好みにより変更することができる。また、点灯、点滅パターン、点灯色は、ユーザの好みにより、任意の組み合わせに設定することができる。よって、ユーザは使用者の使い易い方法を選択することができる。また、ユーザがナンバーディスプレイ等の発信者番号通知サービスに加入している場合は、発信者ごとに、報知ランプ４６の点灯、点滅パターン、点灯色を変えてもよい。これにより、ユーザは、発信者が誰であるかを認識し、着呼に応答したり、無視したりできる。よって、テレビを見ているときでも、特定の発信者からの電話に出ることが可能となる。
【０１０９】
さらに、着呼ありの報知の方法として、表示部４５への表示、子機スピーカ４３からの音声、報知ランプ４６の点灯のいずれか一つ、または、任意の組み合わせを設定できる。よって、表示部４５への表示、子機スピーカ４３からの音声、報知ランプ４６の点灯等の方法をユーザが任意の手段を単独、もしくは組み合わせて使用することにより、使い易い方法を選択することができる。
【０１１０】
また、子機３で着呼報知をしない設定も可能である。もちろん、着呼があった場合でも、親機２や他の子機では応答が可能である。これにより、子機３の表示部４５でテレビを視聴する際に、電話やファクシミリで視聴を中断されることがない。よって、映画等の放送を落ち着いて見ることができる。
【０１１１】
加えて、子機３で着呼報知をしない設定の場合、自動的に留守番電話モードにしてもよい。ユーザが設定しなくとも、自動で留守番電話モードに設定されるため、ユーザの手間を省くことができる。それゆえ、電話で中断されることなく、テレビを視聴できる一方、重要な電話やファクシミリに対しても確実に対応できるため、安心である。
【０１１２】
つづいて、図１５から図１７を参照しながら、放送信号に基づき画像を表示している表示部４５の画面をキャプチャする機能、および、生成したキャプチャ画像データを印刷する機能について説明する。
【０１１３】
図１５は、放送受信画面をキャプチャした状態の子機３の外観斜視図である。
【０１１４】
ファクシミリ装置１では、表示制御部５８の制御により、子機３の表示部４５に表示される画像情報、たとえば受信したテレビ放送の任意の受信画面を画像情報（キャプチャ画像データ）として子機メモリ５６に保存することができる。具体的には、ユーザがテレビ放送を閲覧中に保存したい画面を見た時に、「キャプチャキー」（子機操作キー４１）を操作すると、子機ＣＰＵ５１は、その時に表示部４５に表示している画像から画像データを生成して、子機メモリ５６に保存する。
【０１１５】
そして、子機メモリ５６に保存したキャプチャ画像データは、ユーザの操作等に応じて、表示部４５に表示させることができる。これにより、ユーザは、テレビ放送終了後等にキャプチャした放送受信画像を表示部４５に表示させて、確認することが可能となる。特に、子機３の子機メモリ５６にキャプチャ画像データを保存するため、表示する際に瞬時に呼び出すことができる。
【０１１６】
図１６は、放送受信画面をキャプチャしたキャプチャ画像データを印刷する様子を示すファクシミリ装置１の外観斜視図である。
【０１１７】
表示部４５の画面をキャプチャ後に、ユーザが「プリントキー」（子機操作キー４１）を操作すると、生成したキャプチャ画像データを子機３から親機２へ送信して、親機２のプリンタ１６で印刷する。詳細には、子機ＣＰＵ５１および親機ＣＰＵ２１の制御により、キャプチャ画像データは、子機データ送受信制御部５５、子機アンテナ４４、親機アンテナ１５、親機データ送受信制御部２５を経て、プリンタ制御部２７からプリンタ１６へ送信される。
【０１１８】
これにより、キャプチャした放送受信画面を印刷することが可能となる。また、キャプチャ画像データを、子機３から親機２へ通信によって移動させるため、印刷のために、ユーザが親機２の設置場所へ行く必要がない。
【０１１９】
なお、キャプチャ画像データを子機３から親機２へ送信する際、データを圧縮してもよい。これにより、親機２〜子機３間の通信トラフィックの低減を図ることができる。
【０１２０】
さらに、キャプチャ画像データを親機２の親機メモリ２６に保存してもよい。なお、キャプチャ画像データを一旦子機メモリ５６に保存してから親機メモリ２６に転送してもよいし、キャプチャを実行する際に、生成したキャプチャ画像データを直ちに親機２へ送信して、親機メモリ２６に保存してもよい。一般に、親機２には大容量のメモリを搭載することが可能であるため、メモリ残量をあまり気にせずキャプチャを行うことができる。
【０１２１】
また、キャプチャ画像データを子機メモリ５６に保存していくと、子機メモリ５６が一杯になり、キャプチャができなくなる。そこで、ファクシミリ装置１では、キャプチャする際に子機メモリ５６が一杯である場合、キャプチャ画像データを親機メモリ２６へ保存してもよい。
【０１２２】
また、子機メモリ５６が一杯になった場合、子機メモリ５６に保存したキャプチャ画面データを親機メモリ２６へ自動的に転送して、子機メモリ５６の空き容量を確保してもよい。その際、キャプチャした時刻が古いものから順に転送（送信）するなど、転送するデータに優先順位を設定してもよい。
【０１２３】
また、メモリ（子機メモリ５６、親機メモリ２６）の残量を所定のタイミングで検出して、子機３の表示部４５に「キャプチャできる回数（画像枚数）」や「保存可能な画面枚数」として表示させてもよい。これにより、ユーザが、表示部４５の表示からメモリ残量を把握しながらキャプチャできるので、使い勝手がよい。
【０１２４】
図１７は、受信している放送の放送局に対して情報・データを送信する様子を示すファクシミリ装置１の外観斜視図である。
【０１２５】
一般に、受信中の放送の内容に対して、プレゼントの応募や意見の投書等の情報・データ（送信用データ）を送信することがある。そこで、ファクシミリ装置１では、ユーザが、子機操作キー４１を操作することにより、送信用データを作成し、表示部４５にて内容を確認した後、送信用データを親機２を介して公衆回線へ送信することができる。詳細には、子機ＣＰＵ５１および親機ＣＰＵ２１の制御により、送信用データは、子機データ送受信制御部５５、子機アンテナ４４、親機アンテナ１５、親機データ送受信制御部２５を経て、通信制御部２８、公衆回線接続部１７から公衆回線へ送信される。
【０１２６】
これにより、受信している放送の放送局等へ情報・データ等を容易に送信することが可能となる。
【０１２７】
本発明のファクシミリ装置は、テレビ放送受信チューナと表示部を備えたファクシミリ装置であって、表示部は本体（親機）から取外し可能な子機に設けられ、親機との間で通信可能なコードレス子機として使用可能である。ここで、親機は、子機との間で通信する親機通信手段と、親機通信手段によって受信される信号情報に基づいて、親機を統括的に制御する親機制御手段とを有し、子機は、親機との間で通信する子機通信手段と、子機通信手段によって受信される信号情報に基づいて、子機を統括的に制御する子機制御手段とを有する。
【０１２８】
これにより、表示部は、親機との間で通信することが可能であるため、コードレス子機として使用できるとともに、親機で受信したテレビ放送を表示することができる。
【０１２９】
よって、ユーザはファクシミリ装置の表示部にてテレビ放送を閲覧することができ、また、この表示部は着脱可能な子機としても使用できるため便利である。さらに、テレビ放送の閲覧、コードレス子機としての個別の機能だけでなく、テレビ放送受信中の電話の着呼への応答もできるため便利である。
【０１３０】
さらに、本発明のファクシミリ装置は、子機にメモリを備える。これにより、受信したテレビ放送の受信画面をキャプチャできる。よって、テレビ放送の受信画面をキャプチャすることができるため、テレビ放送を閲覧中にメモに取る等を行う必要がなく、キャプチャした画面を呼び出して確認することができるため便利である。
【０１３１】
さらに、本発明のファクシミリ装置は、子機は、キャプチャされた画面の画像データを、上記通信手段を使用して、親機に送信することができる。そして、親機は、受信した画像データを、親機に備えたメモリに蓄積し、親機に備えたファクシミリの印刷部を使用して、印刷することができる。
【０１３２】
これにより、キャプチャした画面を親機に備える印刷部により、印刷することができるため、上記のキャプチャと同様に、番組の内容をメモに取る等を行う必要がなく、また、画面を印刷することにより、メモのテキスト情報だけでなく、視覚的情報も紙として残せるため便利である。また、親機〜子機間は、無線にて通信できるため、キャプチャした画面を印刷する際、親機を設置しているところへ子機を持って行く必要がなく、子機の操作のみで、印刷することができるため便利である。
【０１３３】
さらに、本発明のファクシミリ装置は、受信したテレビ放送を閲覧中に、例えば放送者に対して、何らかの情報・データ（例えば、番組中のプレゼントの応募、番組への意見の投書等）を送信する際、上記の親機〜子機間の通信手段を使用して、子機での操作にて、親機に接続している公衆回線（電話回線等）を使用し、容易に送信することができる。すなわち、ファクシミリ装置は、公衆回線（電話回線等）に接続された通信機器であるため、接続されている公衆回線を使用すれば、容易に情報を送信することができるため便利である。
【０１３４】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０１３５】
最後に、親機２の親機ＣＰＵ２１で実行される機能（特に、着信報知手段、受信制御手段、キャプチャ画像印刷手段）、子機３の子機ＣＰＵ５１で実行される機能（特に、着信報知手段、キャプチャ手段、キャプチャ画像印刷手段）は、次のようにＣＰＵを用いてソフトウェアによって実現される。なお、これらの機能は、ハードウェアロジックによって構成してもよい。
【０１３６】
すなわち、親機２および子機３は、各機能を実現する制御プログラムの命令を実行するＣＰＵ（central processing unit ）２１・５１、上記プログラムを格納したＲＯＭ（read only memory）、上記プログラムを展開するＲＡＭ（random access memory）、上記プログラムおよび各種データを格納するメモリ等の記憶装置（記録媒体）（親機メモリ２６、子機メモリ５６が相当）などを備えている。そして、本発明の目的は、上述した機能を実現するソフトウェアである親機２および子機３の制御プログラムのプログラムコード（実行形式プログラム、中間コードプログラム、ソースプログラム）をコンピュータで読み取り可能に記録した記録媒体を、上記親機２および子機３に供給し、そのコンピュータ（またはＣＰＵやＭＰＵ）が記録媒体に記録されているプログラムコードを読み出し実行することによっても、達成可能である。
【０１３７】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１３８】
また、親機２および子機３を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１３９】
本発明に係る通信装置は、１台の子機で、通話やファクシミリの受信操作とともに、テレビ等の放送の視聴を可能とするものである。よって、本発明に係る通信装置は、コードレスの子機を有する機器に広く適用可能であるが、特に、コードレス電話、コードレスファクシミリ、および、それらの複合機に好適である。
【図面の簡単な説明】
【０１４０】
【図１】本発明の実施の形態に係るファクシミリ装置の親機および子機の電気的構成を示すブロック図である。
【図２】図１に示したファクシミリ装置の外観を示す斜視図である。
【図３】図１に示したファクシミリ装置の親機の外観を示す斜視図である。
【図４】図１に示したファクシミリ装置の子機の外観を示す斜視図である。
【図５】図１に示したファクシミリ装置における、テレビ放送を受信中に電話の着呼が入った場合の処理を示すフローチャートである。
【図６】図１に示したファクシミリ装置における、テレビ放送を受信中に電話またはファクシミリの着呼が入った場合のモード切替処理を示すフローチャートである。
【図７】図６、図９モード切替処理において子機の表示部に表示されるモード切替画面の一例を示す説明図である。
【図８】図６、図９モード切替処理において子機の表示部に表示されるモード切替画面の一例を示す説明図である。
【図９】図１に示したファクシミリ装置における、テレビ放送を受信中に電話またはファクシミリの着呼が入った場合のモード切替処理を示すフローチャートである。
【図１０】図１に示したファクシミリ装置において、テレビ放送受信中に着呼が入った時に表示部に表示される画面例を示す説明図である。
【図１１】図１に示したファクシミリ装置において、テレビ放送受信中に着呼が入った時に表示部に表示される画面例を示す説明図である。
【図１２】図１に示したファクシミリ装置において、テレビ放送受信中に着呼が入った時に表示部に表示される画面例を示す説明図である。
【図１３】図１に示したファクシミリ装置において、テレビ放送受信中に着呼が入った時に子機スピーカから音声によって報知する例を示す説明図である。
【図１４】図１に示したファクシミリ装置において、テレビ放送受信中に着呼が入った時に報知ランプによって報知する例を示す説明図である。
【図１５】図１に示したファクシミリ装置において、放送受信画面をキャプチャした状態の子機の外観斜視図である。
【図１６】図１に示したファクシミリ装置において、放送受信画面をキャプチャしたキャプチャ画像データを印刷する様子を示すファクシミリ装置の外観斜視図である。
【図１７】図１に示したファクシミリ装置において、受信している放送の放送局に対して情報・データを送信する様子を示すファクシミリ装置の外観斜視図である。
【符号の説明】
【０１４１】
１    ファクシミリ装置（通信装置）
２    親機
３    子機
１６    プリンタ（印刷手段）
２１    親機ＣＰＵ（着信報知手段、受信制御手段、キャプチャ画像印刷手段）
２９    テレビ放送受信チューナ（放送受信手段）
４５    表示部（表示手段）
５１    子機ＣＰＵ（着信報知手段、キャプチャ手段、キャプチャ画像印刷手段）
５６    子機メモリ（キャプチャ画像記憶手段）
【図１】
2006020250.tif 000003
【図２】
2006020250.tif 000004
【図３】
2006020250.tif 000005
【図４】
2006020250.tif 000006
【図５】
2006020250.tif 000007
【図６】
2006020250.tif 000008
【図７】
2006020250.tif 000009
【図８】
2006020250.tif 000010
【図９】
2006020250.tif 000011
【図１０】
2006020250.tif 000012
【図１１】
2006020250.tif 000013
【図１２】
2006020250.tif 000014
【図１３】
2006020250.tif 000015
【図１４】
2006020250.tif 000016
【図１５】
2006020250.tif 000017
【図１６】
2006020250.tif 000018
【図１７】
2006020250.tif 000019